(57)【要約】【課題】棒灸に着火後、短時間に治療適温度に昇温することができ、この治療適温度を長時間保持することができる温灸器具提供することを目的とする。【解決手段】複数の棒灸が挿着可能に形成された温灸器具であって、複数の第１の棒灸保持具を有する蓋体と、上面開口部と、底面開口部と、複数の側板によって閉塞された側面部とを有する箱体とを備え、前記複数の第１の棒灸保持具は、前記蓋体に、共通の距離を有して分散して配設され、前記底部開口部には、網目体が設けられ、前記蓋体の下面には、ステンレス板が貼着され、前記箱体の内面には、ステンレス板が貼着されていることを特徴とする。【選択図】図１
2019115639.tif 000002
【特許請求の範囲】
【請求項１】
複数の棒灸が挿着可能に形成された温灸器具であって、
複数の第１の棒灸保持具を有する蓋体と、
上面開口部と、底面開口部と、複数の側板によって閉塞された側面部とを有する箱体と
を備え、
前記複数の第１の棒灸保持具は、前記蓋体に、共通の距離を有して分散して配設され、
前記底部開口部には、網目体が設けられ、
前記蓋体の下面には、ステンレス板が貼着され、
前記箱体の内面には、ステンレス板が貼着されている
ことを特徴とする温灸器具。
【請求項２】
該網目体の上には、複数の第２の棒灸保持具が、共通の距離を有して分散して配設されている
ことを特徴とする請求項１に記載の温灸器具。
【請求項３】
前記複数の側板には、通気孔が開孔され、
前記蓋体及び前記側板は、木質材で形成され、
前記第１の棒灸保持具は、ステンレスで形成され、
前記蓋体と前記箱体とは、磁石手段を用いて着脱自在に構成されている
ことを特徴とする請求項１又は請求項２に記載の温灸器具。
【発明の詳細な説明】
【技術分野】
【０００１】
この発明は、温灸器具に関し、特に、棒灸を挿着可能に形成された温灸器具に関するものである。
【背景技術】
【０００２】
従来から、もぐさを体表で燃焼させて、人体に温熱刺激を与え、肩こり、腰痛、神経痛等の治療や、内臓諸器官の機能低下の回復等を行う温灸治療技術が広く知られている。直接体表でもぐさを燃焼させると皮膚が火傷して、皮膚に火傷痕が残る虞があるので、もぐさを直接体表で燃焼させない方法も広く知られている。
【０００３】
以下、従来の温灸技術について説明する。まず、特許文献１には、「ツボに対して熱刺激を効率よく与えることができ、且つ、使用者が安心して使用できる温灸具、該温灸具を含む温灸キット及び温灸器を提供することを主な目的」（段落「００１０」参照。）として、「１）水蒸気を身体に放出することにより、身体に局部的な熱刺激を与える温灸具であって、空気と接触することにより発熱と共に水蒸気を発生させる水蒸気発生組成物を扁平状袋内に封入してなるものであり、面積が２．０〜３０．０ｃｍ２であり、該扁平状袋の水蒸気を身体に放出する側に、JIS K7129-1992のA法に準拠して測定された水蒸気透過度が１０００〜３０００ｇ／ｍ２・ｄａｙの透湿性シートが設けられている温灸具と、２）該温灸具と身体との間に介在させて使用するための支持具とを備えた温灸キットであって、該支持具が、水蒸気を身体に供給するための空洞部と、空気を前記透湿性シートに供給するための通気路とを有する温灸キット」（「請求項１」参照。）が記載されている。
【０００４】
また、特許文献２には、「１．施術者または患者自身が、棒灸をツボ上に数分から１時間程度施術する場合、長時間同じ位置で保持できず、施灸効果を高められなかった。２．お灸の熱さは患者自身にしかわからないので、施術者が患者の皮膚に棒灸を近づけ過ぎて火傷をおこしたり、逆に離し過ぎてお灸の熱刺激が不十分であったりした。３．患者自身でなく施術者に施灸される場合、患者には自分で棒灸の熱刺激を調節できないので、火傷や灸痕に対する恐怖心があった。４．棒灸による施灸は、通常同時に２ヶ所以上することはなく、両手や両足などを同時に施灸することが困難であり、施灸時間を短縮することができなかった。また、２ヶ所以上の効果的なツボに対し、同時に施灸することによる効果を試すことができなかった」（段落「０００４」参照。）という「従来の棒灸使用方法」の欠点をなくすために、「固定台に棒灸を固定する棒灸保持具において、固定台に棒灸を直接取り付けるシート状の棒灸挟持バンドと、前記バンドを固定台に固定するための複数のベルトとから構成されている棒灸保持具」（「請求項１」参照。）が記載されている。
【０００５】
また、特許文献３には、「（イ）容器内で、もぐさを燃やすので、煙が出て部屋が臭くなる。（ロ）長期間利用すると温灸器内部に、もぐさから出てくるヤニが付着して、同器具が使用できなくなる。（ハ）火のついたもぐさが落下し火傷を起こしたり、火事を起こす危険性があった」（段落「０００４」参照。）という従来の「温灸器」の欠点をなくすために、「断熱性を有する容器本体であって底部が開口しているものと、前記容器本体内に配置される蓄熱材と、前記容器本体の底部から所定の高さに前記蓄熱材を支持する支持部とを具備することを特徴とする無煙温灸器」（「請求項１」参照。）が記載されている。
【０００６】
また、特許文献４には、「容器内で「もぐさ」を着火燃焼させながら患部表面で容器を安定に保持でき、途中で着火部を調整する必要もなく、燃焼熱を患部へ長時間、効率よく集中できて熱効率が高いことを特徴とした温きゅう器を提供すること」（段落「０００５」参照。）を目的として、「下拡がりの傾斜面で囲周され、底面が開口された中空錐体と、前記中空錐体内に設けられた発熱部と、を備え、前記中空錐体は、上面が開口された台錐体と、この上面開口に開閉自在に装着された蓋体と、から成り、この蓋体は、前記開口の閉鎖時に同開口を密閉状に閉鎖する様に設けられて成る温きゅう器」（「請求項１」参照。）が記載されている。
【先行技術文献】
【特許文献】
【０００７】
【特許文献１】特許第５４０４１０６号公報
【特許文献２】特許第５６２４２３６号公報
【特許文献３】特開２００４−１５４５５０号公報
【特許文献４】特許第２８１４１９５号公報
【発明の概要】
【発明が解決しようとする課題】
【０００８】
しかしながら、特許文献１に記載の「温灸キット」は、「本発明の温灸具は、扁平形状で、且つ、面積が２．０〜３０．０ｃｍ２程度の大きさであるため、熱刺激をツボに効率よく与えることができる」（段落「００１４」参照。）と記載されているように、「温灸具」の大きさが小さいので、図４に示すように、「被験者の肌の温度」が最高値で５０℃に満たず、持続時間も３０分未満であるので、例えば、背中、腰、腹のような比較的広範囲の部位に使用すると、効果がそれほど期待できないものと推量される。
【０００９】
また、特許文献２に記載の「棒灸保持具」は、１本の「棒灸具」を使用するものであるから、「手・足・体幹などの表面上にあるツボ」（段落「００１７」参照。）のような局部に対しての効果があったとしても、上述した特許文献１と同様に、例えば、背中、腰、腹のような比較的広範囲の部位に使用すると、効果がそれほど期待できないものと推量される。特許文献２には、特に、温度については明示されていない。
【００１０】
また、特許文献３には、「（リ）・・・。本発明を使用するときは、まず、１、２個の石やセラミックからなる蓄熱材の平たい底面を２〜５分、ガスコンロ等で熱する。蓄熱材は裏表が分かるように印をつけるとことが望ましい。次に容器本体の蓋を開け、熱した蓄熱材を熱した面を下にして、金網などの支持部（３）の上にのせる。このとき、突出片があるので、蓄熱材は容器本体を多少傾けても移動しない。容器本体に蓋をして、図４のように患部にのせる。これにより、下面を開放した容器本体から、蓄熱材の熱が放射され、患部に１０分程度、４０〜６０度の温熱効果が得られ」（段落「０００６」参照。）と記載されており、「石やセラミックからなる蓄熱材」を用いているので、「温熱効果」の持続時間が１０分程度しかなく、所望の効果を得ることができない虞がある。また、「ニ）支持部（３）に、図２に示すようにはりがね等で蓄熱材が移動しないように突出片（８）を設ける」（段落「０００６」参照。）とあり、図２を見ると、「蓄熱材」が、しっかりと固定されていないものと推量される。
【００１１】
また、特許文献４には「尚、前記温きゅう器１０の実験例として、厚み０．５ｍｍのステンレススチールを素材とし」（段落「００２６」参照。）と記載されているので、例えば、「きゅう師」が「患者」に温灸治療を行う際に、「温きゅう器１０」の外面である「ステンレススチール」が高温に加熱されるので、取扱に注意が必要である。また、「また、台錐体２２内の容器４０内で燃焼中のもぐさや炭化もぐさ等の発熱体４２から発生する熱線は、台錐体４２の底面開口２０へ直接投射されたり、或は台錐体４２の下拡がりに傾斜した内面で反射した後で底面開口２０へ投射されながら、この熱線で患部を効率的に加熱できる」（段落「００３１」、図５参照。）と記載されているものの、「容器４０」は、図４、図５から見てとれるように、「温きゅう器１０」の中央部に１つ設置されているだけであるので、「底面開口２０」の温度が、期待したほど均一にならない虞がある。
【００１２】
なお、以下、「ステンレスチール（ステンレス鋼）」は、単に「ステンレス」と表記する。
【００１３】
このため、本発明では、棒灸に着火後、短時間に治療適温度に昇温することができ、この治療適温度を長時間保持することができる温灸器具を提供することを目的とする。
【００１４】
また、本発明では、広範囲の患部に亘って均一に熱を与えて温灸治療を行うことができる温灸器具を提供することを目的とする。
【課題を解決するための手段】
【００１５】
上記の目的を達成するために、請求項１に記載の発明は、複数の棒灸が挿着可能に形成された温灸器具であって、複数の第１の棒灸保持具を有する蓋体と、上面開口部と、底面開口部と、複数の側板によって閉塞された側面部とを有する箱体とを備え、前記複数の第１の棒灸保持具は、前記蓋体に、共通の距離を有して分散して配設され、前記底部開口部には、網目体が設けられ、前記蓋体の下面には、ステンレス板が貼着され、前記箱体の内面には、ステンレス板が貼着されていることを特徴とする。
【００１６】
また、請求項２に記載の発明は、請求項１に記載の温灸器具であって、該網目体の上には、複数の第２の棒灸保持具が、共通の距離を有して分散して配設されていることを特徴とする。
【００１７】
また、請求項３に記載の発明は、請求項１に記載の温灸器具であって、前記複数の側板には、通気孔が開孔され、前記蓋体及び前記側板は、木質材で形成され、前記第１の棒灸保持具は、ステンレスで形成され、前記蓋体と前記箱体とは、磁石手段を用いて着脱自在に構成されていることを特徴とする。
【発明の効果】
【００１８】
本発明の温灸器具によれば、棒灸に着火した後、約５分〜１０分程度の短時間で治療に適した温度に昇温することができ、かつ、この治療に適した温度を長時間保持することができるという顕著な効果を奏することができる。
【００１９】
また、本発明の温灸器具によれば、患者の局所的な患部だけでなく、腹部、肩、背中、腰部等の広範囲の患部に亘って、均一に熱を与えて温灸治療を行うことができるという顕著な効果を奏することができる。
【図面の簡単な説明】
【００２０】
【図１】本発明の第１実施形態の温灸器具の斜視図である。
【図２】本発明の第１実施形態の温灸器具の正面図である。
【図３】本発明の第１実施形態の温灸器具の平面図である。
【図４】本発明の第１実施形態の温灸器具の底面図である。
【図５】本発明の第１実施形態の温灸器具の蓋体を外した状態の斜視図である。
【図６】本発明の第１実施形態の温灸器具の蓋体を外した状態の平面図である。
【図７】本発明の第１実施形態の温灸器具の蓋体の上方から見た斜視図である。
【図８】本発明の第１実施形態の温灸器具の蓋体の下方から見た斜視図である。
【図９】本発明の第１実施形態の温灸器具の蓋体の正面図である。
【図１０】本発明の第１実施形態の温灸器具の蓋体の底面図である。
【図１１】本発明の第１実施形態の温灸器具の蓋体の使用状態を説明する図である。
【図１２】本発明の第１実施形態の温灸器具の棒灸保持具の拡大斜視図である。
【図１３】本発明の第１実施形態の温灸器具の作用を説明する図である。
【図１４】本発明の第１実施形態の温灸器具の使用状態を説明する図である。
【図１５】本発明の第１実施形態の温灸器具の応用例を示す平面図である。
【図１６】本発明の第１実施形態の温灸器具の応用例を示す平面図である。
【発明を実施するための形態】
【００２１】
以下、好適な実施形態を用いて本発明をさらに具体的に説明する。但し、下記の実施形態は本発明を具現化した例に過ぎず、本発明はこれに限定されるものではない。なお、説明の便宜上、本明細書で示す上，下，前，後，左，右の方向は、図中で示す矢印の上，下，前，後，左，右の方向と対応するものとする。
【００２２】
（第１実施形態）
図１に本発明の第１実施形態の温灸器具１の斜視図を示し、図２に温灸器具１の正面図を示し、図３に温灸器具１の平面図を示し、図４に温灸器具１の底面図を示し、図５に温灸器具１の蓋体３を外した状態の斜視図を示し、図６に温灸器具１の蓋体３を外した状態の平面図を示し、図７に温灸器具１の蓋体３を上方から見た斜視図を示し、図８に温灸器具１の蓋体３を下方から見た斜視図を示し、図９に温灸器具１の蓋体３の正面図を示し、図１０に温灸器具１の蓋体３の底面図を示し、図１１に温灸器具１の蓋体３の使用状態を説明する図を示し、図１２に温灸器具１の棒灸支持具６ａの拡大斜視図を示し、図１３に温灸器具１の作用を説明する図を示し、図１４に温灸器具１の使用状態の説明図を示し、図１５，図１６に、応用例の温灸器具１００，２００の平面図を示す。
【００２３】
温灸器具１は、上面開口部２ｅと、底面開口部２ｆとを有し、側面部が４つの側板（前側板２ａ、後側板２ｂ、左側板２ｃ、右側板２ｄ）で閉塞された角箱形状の箱体２と、箱体２の上面に着脱自在に被装された方形板状の蓋体３を備えている。側板２ａ，２ｂ，２ｃ，２ｄ及び蓋体３は、所定の厚みを有する木質の板材を加工して形成されている。前側板２ａ、後側板２ｂ、左側板２ｃ、右側板２ｄのそれぞれは、方形板状の同一形状をなし、各側板には二つずつ円形の通気孔２ｈが開孔されている。また、箱体２の左右側板２ｃ，２ｄの外面上部には、箱体把持部２Ｌ，２Ｒが左右方向に突出して設けられている。側板２ａ，２ｂ，２ｃ，２ｄの上端面には、蓋体３との着脱手段２ｓが貼着されている。着脱手段２ｓは、例えば、鉄のような強磁性体を有する金属製の薄板で形成されている。隣接する側板同士は、耐熱性接着剤で貼着するか、又は、螺子止めされてもよい。
【００２４】
蓋体３は、平面視で箱体２と略同一サイズの矩形状に形成され、左右端の側面には、蓋体把持部３Ｌ，３Ｒが、左右方向に突出して設けられている。蓋体把持部３Ｌ，３Ｒと箱体把持部２Ｌ，２Ｒとは、同一形状に形成され、それぞれ、対応する位置に配設されており、操作者が、蓋体把持部３Ｌと箱体把持部２Ｌと、また、蓋体把持部３Ｒと箱体把持部２Ｒとを、それぞれ、同時に把持することができるように構成されている。蓋体３は、所定の厚みを有する木質の板材を加工して形成されている。
【００２５】
蓋体３の下面周縁部には、箱体２との着脱手段３ｍが貼着されている。着脱手段３ｍは、例えば、磁石テープで形成されている。蓋体３の着脱手段３ｍと箱体２の着脱手段２ｓとを重ね合わせることで、蓋体３と箱体２とが磁力により着設されている。着脱手段２ｓ，３ｍは、図示のように、それぞれ、矩形枠状に一体的に形成されたものでもよいし、側板２ａ，２ｂ，２ｃ，２ｄや蓋体３のそれぞれの一辺の長さに形成されたものを四辺分貼着するようにしてもよい。
【００２６】
本発明の温灸保持具１は、棒灸を使用することを前提に形成されている。そこで、蓋体３には、挿入された棒灸を保持するための第１の棒灸保持手段４が設けられている。第１の棒灸保持手段４は、複数の棒灸保持具から構成されており、本実施形態では、５つの棒灸保持具４ａ，４ｂ，４ｃ，４ｄ，４ｅが、蓋体３に共通の距離を有して均等に分散して配設されて形成されている。棒灸保持具４ｅは、蓋体３の中心部（対角線交点部）に配設され、棒灸保持具４ａ，４ｂ，４ｃ，４ｄは、蓋体３の対角線上に配設されている。棒灸保持具４ｅと棒灸保持具４ａとの距離をＬ１、棒灸保持具４ｅと棒灸保持具４ｂとの距離をＬ２、棒灸保持具４ｅと棒灸保持具４ｃとの距離をＬ３、棒灸保持具４ｅと棒灸保持具４ｄとの距離をＬ４とすると、Ｌ１，Ｌ２，Ｌ３，Ｌ４は、好適には、全て等しく設定される。つまり、第１の棒灸保持手段４を構成する複数の棒灸保持具４ａ〜４ｅは、共通の距離（Ｌ１，Ｌ２，Ｌ３，Ｌ４）を有して、蓋体３に均等に分散して配設されている。これによって、本発明の温灸器具１の第１の棒灸手段４に複数の棒灸を挿着して使用したときに、着火された棒灸の燃焼熱が均等に温灸器具１内に放射され、着火後の短時間での治療温度への昇温、治療温度の長時間維持という、従来技術にない顕著な効果に寄与することができる。
【００２７】
なお、共通の距離Ｌ１，Ｌ２，Ｌ３，Ｌ４は、棒灸保持具４ａ，４ｂ，４ｃ，４ｄ，４ｅの端部同士の距離で示しているが、棒灸保持具４ａ，４ｂ，４ｃ，４ｄ，４ｅの中心部同士の距離で示されてもよい。また、棒灸保持具４ａと前側板２ａ及び左側板２ｃとの距離Ｌａ、棒灸保持具４ｂと後側板２ｂ及び左側板２ｃとの距離Ｌａ、棒灸保持具４ｃと前側板２ａ及び右側板２ｄとの距離Ｌａ、棒灸保持具４ｄと右側板２ｄ及び後側板２ａとの距離Ｌａを、共通の距離にしてもよいし、例えば、距離Ｌ１（Ｌ２〜Ｌ４）と等しい距離にしてもよい。
【００２８】
箱体２の底面開口部２ｆには、開口面全体に亘って網目体としての金網５が配設されている。金網５は、使用時に熱せされるので、安全上、箱体２の下端より所定距離上側に取り付けた方がよい。また、図示していないが、金網５の補強として、対向する側板間（例えば、前側板２ａと後側板２ｂとの間）に金属製の支持棒を複数本架設して、その上に金網５を配設するようにしてもよい。
【００２９】
金網５の上には、第２の棒灸支持手段６が取り付けられている。第２の棒灸保持手段６は、第１の棒灸保持手段４に挿着された棒灸を燃焼して得られる治療温度を更に高くするとき用いられる。また、使用途中の短い棒灸を利用するときに用いることもできる。第２の棒灸保持手段６は、複数の棒灸保持具から構成されており、本実施形態では、４つの棒灸保持具６ａ，６ｂ，６ｃ，６ｄが、金網５の上に共通の距離を有して均等に分散して配設されている。なお、金網５と底面開口部２ｆの平面視サイズは同じである。棒灸保持具６ａ，６ｂ，６ｃ，６ｄは、金網６の中心部（対角線交点部）から等距離の位置に配設されている。また、棒灸保持具６ａと棒灸保持具６ｃとの距離をＬ５、棒灸保持具６ｃと棒灸保持具６ｂとの距離をＬ６、棒灸保持具６ａと棒灸保持具６ｄとの距離をＬ７、棒灸保持具６ｄと棒灸保持具６ｂとの距離をＬ８とすると、Ｌ５，Ｌ６，Ｌ７，Ｌ８は、好適には、全て等しく設定される。つまり、第２の棒灸保持手段６を構成する複数の棒灸保持具６ａ〜６ｄは、共通の距離（Ｌ５，Ｌ６，Ｌ７，Ｌ８）を有して、金網５上に均等に分散して配設されている。これによって、本発明の温灸器具１の第２の棒灸手段６に複数の棒灸を挿着して使用したときに、着火された棒灸の燃焼熱が均等に放射され、底面開口部２ｆの棒灸着火後の短時間での治療温度への昇温、昇温された治療温度の長時間維持という、従来技術にない顕著な効果に寄与することができる。
【００３０】
なお、共通の距離Ｌ５，Ｌ６，Ｌ７，Ｌ８は、棒灸保持具６ａ，６ｂ，６ｃ，６ｄの略中心部同士の距離で示されているが、これに限定されず、棒灸保持具６ａ〜６ｄが、金網５上に均等に分散して配設されていればよい。また、棒灸保持具６ａと前側板２ａとの距離Ｌｂ、棒灸保持具６ｂと後側板２ｂとの距離Ｌｂ、棒灸保持具６ｃと左側板２ｃとの距離Ｌｂ、棒灸保持具６ｄと右側板２ｄとの距離Ｌｂを、共通の距離にしてもよいし、例えば、距離Ｌ５（Ｌ６〜Ｌ８）と等しい距離にしてもよい。
【００３１】
ここで、第１の棒灸保持手段４と第２の棒灸保持手段６の構造について、説明する。まず、第１の棒灸保持手段４について説明する。前述したように、第１の棒灸保持手段４は、５つの棒灸保持具４ａ〜４ｅで構成されているが、棒灸保持具４ａ〜４ｅのそれぞれは、同一構造であるので、ここでは、棒灸保持具４ａについてのみ説明する。
【００３２】
棒灸保持具４ａは、蓋体３に形成された円形の開孔部１０と、開孔部１０周辺の蓋体３上面に形成された鍔状の保護板１１と、開孔部１０の内面に密接して取付けられた円筒形状の保持筒１２と、保持筒１２の内面に取付けられた４つの着脱板１３とを備えている。これらの棒灸保持具４ａを構成する部材は、全てステンレスで構成されている。棒灸が熱せられて、木質の蓋体３が焦げたり、燃焼することを防止するためである。着脱板１３は、矩形のステンレス板を二つに折り曲げて、板バネとして作用するように形成されたもので、折り曲げた一方の側が耐熱接着剤で保持筒１２の内面に貼着され、折り曲げた他方の側が保持筒１２の内部を向くように設けられている。対向する２つの着脱板１３間の距離は、棒灸の外径よりも短く形成されているので、棒灸を棒灸保持具４ａに挿通すると、折り曲げた他方側が付勢されて、棒灸を保持することができる。図１１は、５つの棒灸保持具４ａ〜４ｅに、それぞれ、５つの棒灸Ｒ１〜Ｒ５を挿通して保持した状態を示している。
【００３３】
次に、第２の棒灸保持手段６について説明する。前述したように、第２の棒灸保持手段６は、４つの棒灸保持具６ａ〜６ｄで構成されているが、棒灸保持具６ａ〜６ｄのそれぞれは、同一構造であるので、ここでは、第２の棒灸保持具６ａについてのみ説明する。図１２は、棒灸保持具６ａ（６ｂ〜６ｄ）の拡大斜視図を示す。図示するように、棒灸保持具６ａは、ステンレスで形成された円筒形状の保持筒２０と、保持筒２０の内面に螺子２２で取付けられた４つの着脱板２１と、保持筒２０を支持する支持部材２３を備えている。着脱板２１は、矩形のステンレス板を二つに折り曲げて、板バネとして作用するように形成されたもので、折り曲げた一方の側を保持筒２０の内面に螺子２２で取付け、折り曲げた他方の側を保持筒２０の内部を向くように設けられている。対向する２つの着脱板２１間の距離は、棒灸の外径よりも短く形成されているので、棒灸を棒灸保持具６ａに挿通すると、折り曲げた他方側が付勢されて、棒灸を保持することができる。保持筒２０は、支持部材２３に固定され、支持部材２３は、金網５に固定される。
【００３４】
箱体２と蓋体３の説明に戻る。箱体２を構成する前側板２ａ，後側板２ｂ，左側板２ｃ，右側板２ｄの内面には、通気孔２ｈの部分を除いて、全面にステンレス板２Ｓａ，２Ｓｂ，２Ｓｃ，２Ｓｄが貼着されている。このステンレス板２Ｓａ，２Ｓｂ，２Ｓｃ，２Ｓｄは、棒灸の燃焼熱を効率的に反射するために、好適には、鏡面仕上げがなされているとよい。蓋体３の下面にも、棒灸保持具４ａ〜４ｅの開孔部１０及び着脱手段３ｍの部分を除いて全面にステンレス板３Ｓｂが貼着されている。この蓋体３のステンレス板３Ｓｂも、好適には、鏡面仕上げされているとよい。このように構成されたことにより、温灸器具１の内部は、底面開口部２ｆ以外は殆ど全て鏡面仕上げされたステンレス板（２Ｓａ，２Ｓｂ，２Ｓｃ，２Ｓｄ，３Ｓｂ）で構成されていることになり、棒灸の燃焼熱を効率的に反射して、温灸器具１内の温度を均一にし、治療適温へ短時間に昇温し、長時間に亘って治療適温に維持することができる。したがって、底面開口部２ｆから患者の患部に伝わる熱を長時間広範囲に亘って均一の治療的温度で与えて温灸治療を行うことができるので、従来技術にない温灸治療効果を奏する。
【００３５】
図１３は、温灸器具１の作用を説明する図であり、温灸器具１に棒灸を挿入して保持し、着火後、棒灸の燃焼熱が効率よく温灸器具１の内部に放射されて、均一に底面の開口部から外部に放射される様子を示している。図１３では、説明の便宜上、１本の棒灸Ｒ５が棒灸保持具４ｅに挿着され、棒灸Ｒ５よりも短くなった使用途中の別の１本の棒灸Ｒ６が、棒灸支持具６ｄに挿着されている様子を示している。着火された棒灸Ｒ５及びＲ６の先端部は燃焼して放熱する。この放熱は、蓋体３の下面に貼着されたステンレス板３Ｓｂ、左側板２ｃの内面に貼着されたステンレス板２Ｓｃ、右側板２ｄの内面に貼着されたステンレス板２Ｓｄ、後側板２ｂの内面に貼着されたステンレス板２Ｓｂで反射されて、底面開口部２ｆから外部に放射される。なお、図示していないが、棒灸Ｒ１及びＲ６の燃焼による放熱は、前側板２ａの内面に貼着されたステンレス板２Ｓａでも反射されて、底面開口部２ｆから外部に放射される。図１３中の矢印は、棒灸Ｒ５，Ｒ６の燃焼熱が反射される様子を示したものである。通気孔２ｈからは、棒灸Ｒ５，Ｒ６を燃焼させるための空気中の酸素が供給される。このようにして、棒灸Ｒ５，Ｒ６の燃焼熱は、温灸器具１内で均一に反射されて、底面開口部２ｆから外部に放射される。図１３では、温灸器具１の中央部に棒灸Ｒ５，Ｒ６が挿着される例を示したが、挿着される棒灸の数を多くすることで、治療温度を高くすることができるし、所望の治療温度まで、短時間で昇温することができ、また、治療温度の持続時間を長くすることができる。なお、説明を省略したが、棒灸の燃焼熱による対流や熱伝導は当然に行われている。
【００３６】
図１４は、温灸器具１の使用状況を説明する図である。図１４に示すように、温灸器具１に着火した複数の棒灸を挿着して、温灸器具１の底面開口部２ｆを患者Ｐの患部（腰）に当接する。このとき、図示のように、温灸器具１と患部との間に、タオルＴ等を敷いて温度の調整を行ってもよい。ここで、昇温された温灸器具１を取り扱うときに、蓋体３に配設された第１の棒灸保持手段４の保護板１１はステンレスで形成されているので熱せられるが、蓋体３が木質の板材で形成されているので、操作者は、安全に温灸器具１を取り扱うことができる。また、本発明の温灸器具１は、棒灸保持手段４又は棒灸保持手段６に挿入して保持された棒灸に着火するだけで、簡単にセットすることができ、蓋体３が箱体２に一定の磁力で着設されるので、万が一、温灸器具１が倒れても温灸器具１内部の燃焼した棒灸が外部に溢れる虞もないので、鍼灸の資格を有しない素人でも安心・安全に使用することができる。
【００３７】
表１は、温灸器具１の第１の棒灸保持手段４に棒灸を５本挿着した構成（以下、「構成１」という。）、温灸器具１の第１の棒灸保持手段４に棒灸を５本且つ棒灸保持手段６に棒灸を４本挿着した構成（以下、「構成２」という。）の、底面開口部２ｆの温度の時間推移を示したものである。
【００３８】
表１に示すように、構成１では、棒灸に着火後５分で、底面開口部２ｆの温度が４５℃以上に昇温し、着火後１０分〜７０分の間、底面開口部２ｆの温度が５０度以上を保持されている。また、構成２では、棒灸に着火後５分で、底面開口部２ｆの温度が５０度以上に昇温し、着火後５分〜７０分の間、底面開口部２ｆの温度が５０度以上に保持されている。本願出願人の研究によれば、温灸器具１の底面開口部２ｆの温度は、患者の症状、体格等によって調整する必要があるが、平均的には、底面開口部２ｆの温度が５０℃以上で６０分間保持されていると、治療効果を高めることができる。このように、本発明の温灸器具では、従来技術に比べ、短時間に治療適温に昇温することができ、治療適温を長時間に亘って保持することができるという、顕著な効果を奏する。
【００３９】
【表１】
2019115639.tif 000003
【００４０】
（応用例）
図１５、図１６は、第１実施形態の応用例を示し、図１５に示す温灸器具１００は、第１の棒灸保持手段１０４として、第１実施形態の棒灸保持具４ａと同一構成の棒灸保持具１０４ａ，１０４ｂ，１０４ｃを備えた好適例であり、図１６に示す温灸具２００は、第１の棒灸保持手段２０４として、第１実施形態の棒灸保持具４ａと同一構成の棒灸保持具２０４ａ，２０４ｂ，２０４ｃ，２０４ｄ，２０４ｅ，２０４ｆ，２０４ｇ，２０４ｈ，２０４ｉを備えた好適例である。温灸器具１と同様に、温灸器具１００において、棒灸保持具１０４ａ，１０４ｂ，１０４ｃは、共通の距離Ｌ１００を有して、蓋体１０３に均等に分散して配設されている。棒灸保持具１０４ｂは、蓋体１０３の中心部（対角線交点部）に配設されている。また、温灸器具２００においても、棒灸保持具２０４ａ，２０４ｂ，２０４ｃ，２０４ｄ，２０４ｅ，２０４ｆ，２０４ｇ，２０４ｈ，２０４ｉは、共通の距離Ｌ２００を有して蓋体２０３に均等に分散して配設されている。棒灸保持具２０４ｅは、蓋体２０３の中心部（対角線交点部）に配設されている。これにより、温灸器具１００，２００内部の温度を均一にし、短時間で治療温度に昇温し、昇温された治療温度を長時間維持することに寄与することができる。なお、温灸器具１００、温灸器具２００においても、第２の棒灸手段として、温灸器具１の棒灸保持具６ａと同一の構成の棒灸保持具を所定数設けてもよい。応用例の温灸器具１００，２００は、第１実施形態の温灸器具１に対して、異なる棒灸保持具の数に応じて、箱体、蓋体、金網、ステンレス板等のサイズを、変更するだけでよい。また、距離Ｌ１〜Ｌ４，Ｌ１００，Ｌ２００は、全て等しくてもよい。
【００４１】
なお、棒灸器具１００において、共通の距離Ｌ１００は、棒灸保持具１０４ａ，１０４ｂ，１０４ｃの端部同士の距離で示しているが、棒灸保持具１０４ａ，１０４ｂ，１０４ｃの中心部同士の距離で示されてもよい。また、棒灸保持具１０４ａと前側板１０２ａ及び左側板１０２ｃ及び後側板１０２ｂとの距離Ｌ１０１、棒灸保持具１０４ｂと前側板１０２ａ及び後側板１０２ｂとの距離Ｌ１０１、棒灸保持具１０４ｃと前側板１０４ａ及び右側板１０２ｄ及び後側板１０２ｂとの距離Ｌ１０１を、共通の距離にしてもよいし、例えば、距離Ｌ１００と等しい距離にしてもよい。
【００４２】
また、棒灸器具２００において、共通の距離Ｌ２００は、棒灸保持具２０４ａ〜２０４ｉの端部同士の距離で示しているが、棒灸保持具２０４ａ〜２０４ｉの中心部同士の距離で示されてもよい。また、棒灸保持具２０４ａと前側板２０２ａ及び左側板２０２ｃとの距離Ｌ２０１、棒灸保持具２０４ｂと左側板２０２ｃとの距離Ｌ２０１、棒灸保持具２０４ｃと左側板２０２ｃ及び後側板２０２ｂとの距離Ｌ２０１、棒灸保持具２０４ｄと前側板２０２ａとの距離Ｌ２０１、棒灸保持具２０４ｆと後側板２０２ｂとの距離Ｌ２０１、棒灸保持具２０４ｇと前側板２０２ａ及び右側板２０２ｄとの距離Ｌ２０１、棒灸保持具２０４ｈと右側板２０２ｄとの距離Ｌ２０１、棒灸保持具２０４ｉと右側板２０２ｄ及び後側板２０２ｂとの距離Ｌ２０１を、共通の距離にしてもよいし、例えば、距離Ｌ２００と等しい距離にしてもよい。
【符号の説明】
【００４３】
１，１００，２００  温灸器具
２      箱体
２ａ    前側板
２ｂ    後側板
２ｃ    左側板
２ｄ    右側板
２ｅ    上面開口部
２ｆ    底面開口部
２ｈ    通気孔
２ｓ，３ｍ  着脱手段
２Ｌ，２Ｒ  箱体把持部
２Ｓａ，２Ｓｂ，２Ｓｃ，２Ｓｄ，３Ｓｂ    ステンレス板
３，１０３，２０３    蓋体
３Ｌ，３Ｒ，１０３Ｌ，１０３Ｒ，２０３Ｌ，２０３Ｒ  蓋体把持部
４，１０４，２０４  第１の保持手段
４ａ，４ｂ，４ｃ，４ｄ，４ｅ  棒灸保持具
１０４ａ，１０４ｂ，１０４ｃ  棒灸保持具
２０４ａ，２０４ｂ，２０４ｃ，２０４ｄ，２０４ｅ，２０４ｆ，２０４ｇ，２０４ｈ，２０４ｉ  棒灸保持具
５      網目体（金網）
６      第２の棒灸手段
６ａ，６ｂ，６ｃ，６ｄ    棒灸保持具
１０    開孔部
１１    保護板
１２，２０    保持筒
１３，２１    着脱板
２２    螺子
２３    支持部材
Ｒ１，Ｒ２，Ｒ３，Ｒ４，Ｒ５，Ｒ６    棒灸
【図１】
2019115639.tif 000004
【図２】
2019115639.tif 000005
【図３】
2019115639.tif 000006
【図４】
2019115639.tif 000007
【図５】
2019115639.tif 000008
【図６】
2019115639.tif 000009
【図７】
2019115639.tif 000010
【図８】
2019115639.tif 000011
【図９】
2019115639.tif 000012
【図１０】
2019115639.tif 000013
【図１１】
2019115639.tif 000014
【図１２】
2019115639.tif 000015
【図１３】
2019115639.tif 000016
【図１４】
2019115639.tif 000017
【図１５】
2019115639.tif 000018
【図１６】
2019115639.tif 000019
【手続補正書】
【提出日】平成30年5月6日(2018.5.6)
【手続補正１】
【補正対象書類名】特許請求の範囲
【補正対象項目名】全文
【補正方法】変更
【補正の内容】
【特許請求の範囲】
【請求項１】
複数の棒灸が挿着可能に形成された温灸器具であって、
第１の棒灸保持手段を有する蓋体と、
上面開口部と、底面開口部と、複数の側板によって閉塞された側面部とを有する箱体と
を備え、
前記蓋体は、平面視で前記箱体と略同一サイズの矩形状に形成され、左右端の側面には、蓋体把持部が左右方向に突出して設けられ、前記箱体の左右の側面には、前記蓋体把持部と対応する位置に、前記蓋体把持部と同一サイズの箱体把持部が、左右方向に突出して設けられ、
前記底面開口部には、網目体が設けられ、
前記蓋体の下面には、ステンレス板が貼着され、
前記箱体の内面には、ステンレス板が貼着され、
前記網目体の上には、第２の棒灸保持手段が配設され、
前記複数の側板には、通気孔が開孔され、
前記蓋体及び前記複数の側板は、木質材で形成され、
前記蓋体と前記箱体とは、磁石手段を用いて着脱自在に構成され、
前記第１の棒灸保持手段は、ステンレスで形成された第１〜第５の棒灸保持具で構成され、該第１〜第５の棒灸保持具は、前記蓋体に、共通の距離を有して均等に分散して配設されており、
前記第５の棒灸保持具は、前記蓋体の中心部（対角線交点部）に配設され、第１〜第４の棒灸保持具は、前記第５の棒灸保持具を中心として、該第５の棒灸保持具の周囲の前記蓋体の対角線上に配設され、
前記第５の棒灸保持具と前記第１の棒灸保持具との距離と、前記第５の棒灸保持具と前記第２の棒灸保持具との距離と、前記第５の棒灸保持具と前記第３の棒灸保持具との距離と、前記第５の棒灸保持具と前記第４の棒灸保持具との距離とは、全て等しい第１の距離に設定され、
前記第２の棒灸保持手段は、第６〜第９の棒灸保持具で構成され、該第６〜第９の棒灸保持具は、前記蓋体に、共通の距離を有して均等に分散して配設されており、
前記第６〜第９の棒灸保持具は、前記網目体の中心部（対角線交点部）から等距離の位置に配置され、
前記第６の棒灸保持具と前記第８の棒灸保持具との距離と、前記第８の棒灸保持具と前記第７の棒灸保持具との距離と、前記第７の棒灸保持具と前記第９の棒灸保持具との距離と、前記第９の棒灸保持具と前記第６の棒灸保持具との距離とは、全て等しい第２の距離に設定されている
ことを特徴とする温灸器具。
【請求項２】
前記複数の側板は、前側板と後側板と左側版と右側板の４つの側板で構成され、
前記第１の棒灸保持具と前記前側板及び前記左側板との距離、前記第２の棒灸保持具と前記後側板及び前記左側板との距離、前記第３の棒灸保持具と前記前側板及び前記右側板との距離、前記第４の棒灸保持具と前記右側板及び前記後側板との距離は、全て等しい第３の距離に設定されており、
前記第６の棒灸保持具と前記前側板との距離、前記第７の棒灸保持具と前記後側板との距離、前記第８の棒灸保持具と前記左側板との距離、前記第９の棒灸保持具と前記右側板との距離は、全て等しい第４の距離に設定されている
ことを特徴とする請求項１に記載の温灸器具。
【請求項３】
前記第１〜第５の棒灸保持具に、ぞれぞれ、棒灸が挿着されて着火燃焼されることで、
前記底面開口部の温度が、着火後５分で、４５℃以上に昇温され、着火後１０分〜７０分の間、５０℃以上を保持されるように制御可能に構成されている
ことを特徴とする請求項１又は請求項２に記載の温灸器具。
【請求項４】
前記第１〜第９の棒灸保持具に、ぞれぞれ、棒灸が挿着されて着火燃焼されることで、
前記底面開口部の温度が、着火後５分で、５０℃以上に昇温され、着火後５分〜７０分の間、５０℃以上を保持されるように制御可能に構成されている
ことを特徴とする請求項１又は請求項２に記載の温灸器具。
【手続補正２】
【補正対象書類名】明細書
【補正対象項目名】００１５
【補正方法】変更
【補正の内容】
【００１５】
上記の目的を達成するために、請求項１に記載の発明は、複数の棒灸が挿着可能に形成された温灸器具であって、第１の棒灸保持手段を有する蓋体と、上面開口部と、底面開口部と、複数の側板によって閉塞された側面部とを有する箱体とを備え、前記蓋体は、平面視で前記箱体と略同一サイズの矩形状に形成され、左右端の側面には、蓋体把持部が左右方向に突出して設けられ、前記箱体の左右の側面には、前記蓋体把持部と対応する位置に、前記蓋体把持部と同一サイズの箱体把持部が、左右方向に突出して設けられ、前記底面開口部には、網目体が設けられ、前記蓋体の下面には、ステンレス板が貼着され、前記箱体の内面には、ステンレス板が貼着され、前記網目体の上には、第２の棒灸保持手段が配設され、前記複数の側板には、通気孔が開孔され、前記蓋体及び前記複数の側板は、木質材で形成され、前記蓋体と前記箱体とは、磁石手段を用いて着脱自在に構成され、前記第１の棒灸保持手段は、ステンレスで形成された第１〜第５の棒灸保持具で構成され、該第１〜第５の棒灸保持具は、前記蓋体に、共通の距離を有して均等に分散して配設されており、前記第５の棒灸保持具は、前記蓋体の中心部（対角線交点部）に配設され、第１〜第４の棒灸保持具は、前記第５の棒灸保持具を中心として、該第５の棒灸保持具の周囲の前記蓋体の対角線上に配設され、前記第５の棒灸保持具と前記第１の棒灸保持具との距離と、前記第５の棒灸保持具と前記第２の棒灸保持具との距離と、前記第５の棒灸保持具と前記第３の棒灸保持具との距離と、前記第５の棒灸保持具と前記第４の棒灸保持具との距離とは、全て等しい第１の距離に設定され、前記第２の棒灸保持手段は、第６〜第９の棒灸保持具で構成され、該第６〜第９の棒灸保持具は、前記蓋体に、共通の距離を有して均等に分散して配設されており、前記第６〜第９の棒灸保持具は、前記網目体の中心部（対角線交点部）から等距離の位置に配置され、前記第６の棒灸保持具と前記第８の棒灸保持具との距離と、前記第８の棒灸保持具と前記第７の棒灸保持具との距離と、前記第７の棒灸保持具と前記第９の棒灸保持具との距離と、前記第９の棒灸保持具と前記第６の棒灸保持具との距離とは、全て等しい第２の距離に設定されていることを特徴とする。
【手続補正３】
【補正対象書類名】明細書
【補正対象項目名】００１６
【補正方法】変更
【補正の内容】
【００１６】
また、請求項２に記載の発明は、請求項１に記載の温灸器具であって、前記複数の側板は、前側板と後側板と左側版と右側板の４つの側板で構成され、前記第１の棒灸保持具と前記前側板及び前記左側板との距離、前記第２の棒灸保持具と前記後側板及び前記左側板との距離、前記第３の棒灸保持具と前記前側板及び前記右側板との距離、前記第４の棒灸保持具と前記右側板及び前記後側板との距離は、全て等しい第３の距離に設定されており、前記第６の棒灸保持具と前記前側板との距離、前記第７の棒灸保持具と前記後側板との距離、前記第８の棒灸保持具と前記左側板との距離、前記第９の棒灸保持具と前記右側板との距離は、全て等しい第４の距離に設定されていることを特徴とする。
【手続補正４】
【補正対象書類名】明細書
【補正対象項目名】００１７
【補正方法】変更
【補正の内容】
【００１７】
また、請求項３に記載の発明は、請求項１又は請求項２に記載の温灸器具であって、前記第１〜第５の棒灸保持具に、ぞれぞれ、棒灸が挿着されて着火燃焼されることで、前記底面開口部の温度が、着火後５分で、４５℃以上に昇温され、着火後１０分〜７０分の間、５０℃以上を保持されるように制御可能に構成されていることを特徴とする。
また、請求項４に記載の発明は、請求項１又は請求項２に記載の温灸器具であって、前記第１〜第９の棒灸保持具に、ぞれぞれ、棒灸が挿着されて着火燃焼されることで、前記底面開口部の温度が、着火後５分で、５０℃以上に昇温され、着火後５分〜７０分の間、５０℃以上を保持されるように制御可能に構成されていることを特徴とする。
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
複数の棒灸が挿着可能に形成された温灸器具であって、
第１の棒灸保持手段を有する蓋体と、
上面開口部と、底面開口部と、複数の側板によって閉塞された側面部とを有する箱体と
を備え、
前記蓋体は、平面視で前記箱体と略同一サイズの矩形状に形成され、左右端の側面には、蓋体把持部が左右方向に突出して設けられ、前記箱体の左右の側面には、前記蓋体把持部と対応する位置に、前記蓋体把持部と同一サイズの箱体把持部が、左右方向に突出して設けられ、
前記底面開口部には、網目体が設けられ、
前記蓋体の下面には、ステンレス板が貼着され、
前記箱体の内面には、ステンレス板が貼着され、
前記網目体の上には、第２の棒灸保持手段が配設され、
前記複数の側板には、通気孔が開孔され、
前記蓋体及び前記複数の側板は、木質材で形成され、
前記蓋体と前記箱体とは、磁石手段を用いて着脱自在に構成され、
前記第１の棒灸保持手段は、ステンレスで形成された第１〜第５の棒灸保持具で構成され、該第１〜第５の棒灸保持具は、前記蓋体に、共通の距離を有して均等に分散して配設されており、
前記第５の棒灸保持具は、前記蓋体の中心部（対角線交点部）に配設され、第１〜第４の棒灸保持具は、前記第５の棒灸保持具を中心として、該第５の棒灸保持具の周囲の前記蓋体の対角線上に配設され、
前記第５の棒灸保持具と前記第１の棒灸保持具との距離と、前記第５の棒灸保持具と前記第２の棒灸保持具との距離と、前記第５の棒灸保持具と前記第３の棒灸保持具との距離と、前記第５の棒灸保持具と前記第４の棒灸保持具との距離とは、全て等しい第１の距離に設定され、
前記第２の棒灸保持手段は、第６〜第９の棒灸保持具で構成され、該第６〜第９の棒灸保持具は、前記網目体に、共通の距離を有して均等に分散して配設されており、
前記第６〜第９の棒灸保持具は、前記網目体の中心部（対角線交点部）から等距離の位置に配置され、
前記第６の棒灸保持具と前記第８の棒灸保持具との距離と、前記第８の棒灸保持具と前記第７の棒灸保持具との距離と、前記第７の棒灸保持具と前記第９の棒灸保持具との距離と、前記第９の棒灸保持具と前記第６の棒灸保持具との距離とは、全て等しい第２の距離に設定されている
ことを特徴とする温灸器具。
【請求項２】
前記複数の側板は、前側板と後側板と左側板と右側板の４つの側板で構成され、
前記第１の棒灸保持具と前記前側板及び前記左側板との距離、前記第２の棒灸保持具と前記後側板及び前記左側板との距離、前記第３の棒灸保持具と前記前側板及び前記右側板との距離、前記第４の棒灸保持具と前記右側板及び前記後側板との距離は、全て等しい第３の距離に設定されており、
前記第６の棒灸保持具と前記前側板との距離、前記第７の棒灸保持具と前記後側板との距離、前記第８の棒灸保持具と前記左側板との距離、前記第９の棒灸保持具と前記右側板との距離は、全て等しい第４の距離に設定されている
ことを特徴とする請求項１に記載の温灸器具。
【請求項３】
前記第１〜第５の棒灸保持具に、それぞれ、棒灸が挿着されて着火燃焼されることで、
前記底面開口部の温度が、着火後５分で、４５℃以上に昇温され、着火後１０分〜７０分の間、５０℃以上を保持されるように制御可能に構成されている
ことを特徴とする請求項１又は請求項２に記載の温灸器具。
【請求項４】
前記第１〜第９の棒灸保持具に、それぞれ、棒灸が挿着されて着火燃焼されることで、
前記底面開口部の温度が、着火後５分で、５０℃以上に昇温され、着火後５分〜７０分の間、５０℃以上を保持されるように制御可能に構成されている
ことを特徴とする請求項１又は請求項２に記載の温灸器具。
【手続補正２】
【補正対象書類名】明細書
【補正対象項目名】００１５
【補正方法】変更
【補正の内容】
【００１５】
上記の目的を達成するために、請求項１に記載の発明は、複数の棒灸が挿着可能に形成された温灸器具であって、第１の棒灸保持手段を有する蓋体と、上面開口部と、底面開口部と、複数の側板によって閉塞された側面部とを有する箱体とを備え、前記蓋体は、平面視で前記箱体と略同一サイズの矩形状に形成され、左右端の側面には、蓋体把持部が左右方向に突出して設けられ、前記箱体の左右の側面には、前記蓋体把持部と対応する位置に、前記蓋体把持部と同一サイズの箱体把持部が、左右方向に突出して設けられ、前記底面開口部には、網目体が設けられ、前記蓋体の下面には、ステンレス板が貼着され、前記箱体の内面には、ステンレス板が貼着され、前記網目体の上には、第２の棒灸保持手段が配設され、前記複数の側板には、通気孔が開孔され、前記蓋体及び前記複数の側板は、木質材で形成され、前記蓋体と前記箱体とは、磁石手段を用いて着脱自在に構成され、前記第１の棒灸保持手段は、ステンレスで形成された第１〜第５の棒灸保持具で構成され、該第１〜第５の棒灸保持具は、前記蓋体に、共通の距離を有して均等に分散して配設されており、前記第５の棒灸保持具は、前記蓋体の中心部（対角線交点部）に配設され、第１〜第４の棒灸保持具は、前記第５の棒灸保持具を中心として、該第５の棒灸保持具の周囲の前記蓋体の対角線上に配設され、前記第５の棒灸保持具と前記第１の棒灸保持具との距離と、前記第５の棒灸保持具と前記第２の棒灸保持具との距離と、前記第５の棒灸保持具と前記第３の棒灸保持具との距離と、前記第５の棒灸保持具と前記第４の棒灸保持具との距離とは、全て等しい第１の距離に設定され、前記第２の棒灸保持手段は、第６〜第９の棒灸保持具で構成され、該第６〜第９の棒灸保持具は、前記網目体に、共通の距離を有して均等に分散して配設されており、前記第６〜第９の棒灸保持具は、前記網目体の中心部（対角線交点部）から等距離の位置に配置され、前記第６の棒灸保持具と前記第８の棒灸保持具との距離と、前記第８の棒灸保持具と前記第７の棒灸保持具との距離と、前記第７の棒灸保持具と前記第９の棒灸保持具との距離と、前記第９の棒灸保持具と前記第６の棒灸保持具との距離とは、全て等しい第２の距離に設定されていることを特徴とする。
【手続補正３】
【補正対象書類名】明細書
【補正対象項目名】００１６
【補正方法】変更
【補正の内容】
【００１６】
また、請求項２に記載の発明は、請求項１に記載の温灸器具であって、前記複数の側板は、前側板と後側板と左側板と右側板の４つの側板で構成され、前記第１の棒灸保持具と前記前側板及び前記左側板との距離、前記第２の棒灸保持具と前記後側板及び前記左側板との距離、前記第３の棒灸保持具と前記前側板及び前記右側板との距離、前記第４の棒灸保持具と前記右側板及び前記後側板との距離は、全て等しい第３の距離に設定されており、前記第６の棒灸保持具と前記前側板との距離、前記第７の棒灸保持具と前記後側板との距離、前記第８の棒灸保持具と前記左側板との距離、前記第９の棒灸保持具と前記右側板との距離は、全て等しい第４の距離に設定されていることを特徴とする。
【手続補正４】
【補正対象書類名】明細書
【補正対象項目名】００１７
【補正方法】変更
【補正の内容】
【００１７】
また、請求項３に記載の発明は、請求項１又は請求項２に記載の温灸器具であって、前記第１〜第５の棒灸保持具に、それぞれ、棒灸が挿着されて着火燃焼されることで、前記底面開口部の温度が、着火後５分で、４５℃以上に昇温され、着火後１０分〜７０分の間、５０℃以上を保持されるように制御可能に構成されていることを特徴とする。
また、請求項４に記載の発明は、請求項１又は請求項２に記載の温灸器具であって、前記第１〜第９の棒灸保持具に、それぞれ、棒灸が挿着されて着火燃焼されることで、前記底面開口部の温度が、着火後５分で、５０℃以上に昇温され、着火後５分〜７０分の間、５０℃以上を保持されるように制御可能に構成されていることを特徴とする。